(57)【要約】【課題】撮影カメラにより正面画像と側面画像を撮影するための機構を簡素化し、再現性よく顔画像の撮影を行うことが可能な顔撮影装置を提供する。【解決手段】顔を所定位置に保持させるあご載せ台２と額押さえ３からなる顔保持手段と、この顔保持手段に保持されている顔を撮影するために、顔が保持される位置の上方もしくは下方に配置される撮影カメラ４と、顔の正面画像を撮影するために被写体像を撮影カメラ４へと導く第１ミラー機構と、顔の側面画像を撮影するために被写体像を撮影カメラ４へと導く第２ミラー機構と、第１ミラー機構により正面画像を撮影する第１姿勢と、第２ミラー機構により側面画像を撮影する第２姿勢とに、撮影カメラ４の姿勢を切り換えるための姿勢切換手段と、を備えた。【選択図】図２
2008167930.tif 000002
【特許請求の範囲】
【請求項１】
顔を所定位置に保持させる顔保持手段と、
この顔保持手段に保持されている顔を撮影するために、顔が保持される位置の上方もしくは下方に配置される撮影手段と、
顔の正面画像を撮影するために被写体像を撮影手段へと導く第１ミラー機構と、
顔の側面画像を撮影するために被写体像を撮影手段へと導く第２ミラー機構と、
第１ミラー機構により正面画像を撮影する第１姿勢と、第２ミラー機構により側面画像を撮影する第２姿勢とに、撮影手段の姿勢を切り換えるための姿勢切換手段と、を備えたことを特徴とする顔撮影装置。
【請求項２】
前記姿勢切換手段は、垂直に設定された回転軸芯回りに撮影手段を回転駆動させる機構であることを特徴とする請求項１に記載の顔撮影装置。
【請求項３】
顔を所定位置に保持させる顔保持手段と、
この顔保持手段に保持されている顔の撮影するために、顔が保持される位置の上方もしくは下方に配置される撮影手段と、
顔の正面画像を撮影するために被写体像を撮影手段へと導く第１ミラー機構と、
顔の側面画像を撮影するために被写体像を第１ミラー機構内の切換ミラーを介して撮影手段へと導く第２ミラー機構と、
第１ミラー機構により正面画像を撮影する第１姿勢と、第２ミラー機構及び前記切換ミラーを介して側面画像を撮影する第２姿勢とに、切換ミラーの姿勢を切り換えるための姿勢切換手段と、を備えたことを特徴とする顔撮影装置。
【請求項４】
顔を所定位置に保持させる顔保持手段と、
この顔保持手段に保持されている顔の撮影するために、顔が保持される位置の上方もしくは下方に配置される撮影手段と、
顔の正面画像及び側面画像を撮影するために被写体像を撮影手段へと導くミラー機構と、
撮影手段およびミラー機構を一体的に保持する保持体と、
ミラー機構により正面画像を撮影する第１姿勢と、側面画像を撮影する第２姿勢とに、前記保持体の姿勢を切り換えるための姿勢切換手段と、を備えたことを特徴とする顔撮影装置。
【発明の詳細な説明】
【技術分野】
【０００１】
本発明は、肌の状態を診断する場合などに使用される顔撮影装置に関するものである。
【背景技術】
【０００２】
かかる顔撮影装置は、美容皮膚科、美容外科、形成外科などにおいて使用されており、定期的に人の顔を撮影することで肌の状態の経時的な変化を観察し、化粧品や肌治療の効果を確認する目的で使用されている（例えば、下記特許文献１）。具体的には、得られた顔画像からシミ・シワ・毛穴・色ムラなどの評価を行なうものであり、さらには、紫外線を使用したポルフィリン・かくれジミなどの評価も行なわれている。このような肌状態の評価を行なうために、以前に撮影した顔画像と今回撮影した顔画像とを画像処理技術（ソフトウェア）を用いて比較することが行なわれている。
【０００３】
顔画像の撮影は正面からだけではなく、側面（例えば、正面に対して４５゜や６０゜）からも行う必要がある。これは、顔全体から化粧品や肌治療などの効果を確認するためである。そこで、下記特許文献１などに見られるように、撮影手段である撮影カメラの位置を変える必要がある。すなわち、顔が保持される位置を中心に回転駆動されるアームを設け、その先端部に撮影カメラを保持する機構が設けられている。アームを回転駆動して、夫々の撮影位置へ移動させることで、正面画像と左右の側面画像を撮影するようにしている。
【０００４】
【特許文献１】特開２００５−１４８５４０号公報
【発明の開示】
【発明が解決しようとする課題】
【０００５】
しかしながら、上記のように撮影カメラを回転駆動する構成は、機構が大掛かりなものになりがちであり、必要な配置スペースも多大なものになる。また、アームの先端部に撮影カメラを搭載する構成では、アームの停止位置を精度よく制御することが難しくなり、同じ人物の顔画像を日を開けて撮影する場合に再現性の点で問題があった。
【０００６】
本発明は上記実情に鑑みてなされたものであり、その課題は、撮影カメラにより正面画像と側面画像を撮影するための機構を簡素化し、再現性よく顔画像の撮影を行うことが可能な顔撮影装置を提供することである。
【課題を解決するための手段】
【０００７】
上記課題を解決するため本発明に係る顔撮影装置は、
顔を所定位置に保持させる顔保持手段と、
この顔保持手段に保持されている顔の撮影するために、顔が保持される位置の上方もしくは下方に配置される撮影手段と、
顔の正面画像を撮影するために被写体像を撮影手段へと導く第１ミラー機構と、
顔の側面画像を撮影するために被写体像を撮影手段へと導く第２ミラー機構と、
第１ミラー機構により正面画像を撮影する第１姿勢と、第２ミラー機構により側面画像を撮影する第２姿勢とに、撮影手段の姿勢を切り換えるための姿勢切換手段と、を備えたことを特徴とするものである。
【０００８】
この構成による顔撮影装置の作用・効果を説明する。まず、顔画像を撮影するための撮影手段は、顔が保持される位置の上方か下方に配置される。この位置において顔画像を撮影するためには、顔画像（被写体像）を撮影手段の位置に導くためのミラー機構が必要である。第１ミラー機構は、正面画像を撮影手段へ導くように構成され、第２ミラー機構は、側面画像を撮影手段へ導くように構成される。このようなミラー機構は、各撮影位置に対応して設けられるものであり動かす必要はない。また、撮影手段は正面画像を撮影する第１姿勢と、側面画像を撮影する第２姿勢とを切換可能に構成される。従って、撮影手段は姿勢切換のために動かす必要があるが、顔の位置の上方もしくは下方に配置されているため、動かす量は僅かであり、その機構も簡素化することができる。従って、撮影カメラにより正面画像と側面画像を撮影するための機構を簡素化し、再現性よく顔画像の撮影を行うことが可能な顔撮影装置を提供することができる。
【０００９】
本発明に係る姿勢切換手段は、垂直に設定された回転軸芯回りに撮影手段を回転駆動させる機構であることが好ましい。
【００１０】
この構成によると、撮影手段を回転駆動させることで、第１姿勢と第２姿勢とに切り換えることができる。従って、簡素な構成で撮影手段の姿勢を切り換えるようにすることができる。また、先行技術のような大きなアームを備える必要もない。
【００１１】
上記課題を解決するため本発明に係る別の顔撮影装置は、
顔を所定位置に保持させる顔保持手段と、
この顔保持手段に保持されている顔を撮影するために、顔が保持される位置の上方もしくは下方に配置される撮影手段と、
顔の正面画像を撮影するために被写体像を撮影手段へと導く第１ミラー機構と、
顔の側面画像を撮影するために被写体像を第１ミラー機構内の切換ミラーを介して撮影手段へと導く第２ミラー機構と、
第１ミラー機構により正面画像を撮影する第１姿勢と、第２ミラー機構及び前記切換ミラーを介して側面画像を撮影する第２姿勢とに、切換ミラーの姿勢を切り換えるための姿勢切換手段と、を備えたことを特徴とするものである。
【００１２】
かかる構成による顔撮影装置の作用・効果を説明する。この構成によると、正面画像を撮影する場合には、第１ミラー機構により被写体像を撮影手段へと導く。側面画像を撮影する場合には、第２ミラー機構と第１ミラー機構の切換ミラーを介して被写体像を撮影手段へ導く。切換ミラーは、姿勢を切り換えることが可能であり、正面画像を撮影する時には第１姿勢を取り、側面画像を撮影する時には第２姿勢を取る。このように、切換ミラーの姿勢を変えることで正面画像と側面画像の撮影を行うことができ、撮影手段の姿勢は固定されたままでよい。その結果、撮影カメラにより正面画像と側面画像を撮影するための機構を簡素化し、再現性よく顔画像の撮影を行うことが可能な顔撮影装置を提供することができる。
【００１３】
上記課題を解決するため本発明に係る更に別の顔撮影装置は、
顔を所定位置に保持させる顔保持手段と、
この顔保持手段に保持されている顔の撮影するために、顔が保持される位置の上方もしくは下方に配置される撮影手段と、
顔の正面画像及び側面画像を撮影するために被写体像を撮影手段へと導くミラー機構と、
撮影手段およびミラー機構を一体的に保持する保持体と、
ミラー機構により正面画像を撮影する第１姿勢と、側面画像を撮影する第２姿勢とに、前記保持体の姿勢を切り換えるための姿勢切換手段と、を備えたことを特徴とするものである。
【００１４】
かかる構成による顔撮影装置の作用・効果を説明する。顔画像を撮影するための撮影手段は、顔が保持される位置の上方もしくは下方に配置される。また、ミラー機構が設けられており、被写体像を撮影手段へ導く。撮影手段とミラー機構は共に保持体に保持されている。そして、保持体を第１姿勢にした時、正面画像を撮影することができ、保持体を第２姿勢にした時、側面画像を撮影することができる。このように保持体の姿勢を変更するだけで、正面画像と側面画像の両方を撮影することができる。また、撮影手段が顔が保持される位置の上方かその近傍に配置されるため、撮影手段を大きく移動させる必要はなく、構成も簡素化することができる。その結果、撮影カメラにより正面画像と側面画像を撮影するための機構を簡素化し、再現性よく顔画像の撮影を行うことが可能な顔撮影装置を提供することができる。
【発明を実施するための最良の形態】
【００１５】
本発明に係る顔撮影装置の好適な実施形態を図面を用いて説明する。図１は、顔撮影装置の内部構成を示す横断面図を示し、図２は、図１に示す顔撮影装置の縦断面図である。図３は、撮影カメラが配置される位置における顔撮影装置の内部構成を示す横断面図である。
【００１６】
この顔撮影装置Ａは、美容皮膚科、美容外科、形成外科などにおいて使用されている。定期的あるいは適度な期間を空けて人の顔を撮影することで肌の状態の経時的な変化を観察し、化粧品や肌治療の効果を確認する目的で使用される。この装置は、得られた顔画像からシミ・シワ・毛穴・色ムラなどの評価を行なう機能を有し、さらには、紫外線を使用したポルフィリン・かくれジミなどの評価を行なうこともできる。
【００１７】
＜顔撮影装置の構成（第１実施形態）＞
まず、第１実施形態の構成について説明する。図１において、顔撮影装置Ａは、略立方体形状の筐体１を備えており、顔の撮影を行う時は筐体１内の所定箇所に顔を保持させた状態で行い、室内光などが筐体１内部に侵入しにくいような構造が採用されている。筐体１の正面には開口部１ａが形成されており、ここから顔を挿入させる。人の顔を所定位置に保持するための顔保持手段として、あご載せ台２と額押さえ３が設けられている。あご載せ台２と額押さえ３は、人の顔の大きさや形状などに対応できるように手動で位置調整ができるように構成されている。開口部１ａからの外光進入を防止するためにカーテン１ｂが設けられる。
【００１８】
顔を撮影するための撮像手段として撮影カメラ４が設けられており、カメラ支持体５に保持されている。図１に示すように、撮影カメラ４による顔の撮影位置は、正面位置Ｐ０と左右の側面位置Ｐ１、Ｐ２の３箇所が設定されている。正面位置Ｐ０は、撮影カメラ４により顔の正面画像を撮影する位置に相当し、側面位置Ｐ１，Ｐ２は正面位置Ｐ０に対して４５゜に設定された位置であり、撮影カメラ４により側面画像を撮影する位置に相当する。ただし、この４５゜という角度については、この数値に限定されるものではなく、他の角度に設定してもよく、また、側面位置Ｐ１，Ｐ２も２箇所だけでなく、更に多くの側面位置が設定されていてもよい。例えば、３０゜，４５゜，６０゜，７５゜に設定されていてもよい。
【００１９】
撮影カメラ４は、デジタルカメラが使用されるが、どのようなタイプのものを使用してもよい。必要に応じてビデオ機能を有するものを使用してもよく、静止画像を撮影可能なビデオカメラを使用してもよい。
【００２０】
図２に示すように、撮影カメラ４は、顔が保持される位置の上方に配置されており、不図示の駆動機構により垂直に設定された回転軸芯Ｂ周りに回転可能に構成されている。正面画像を撮影するために、正面位置Ｐ０には、第１ミラー１０と第２ミラー１１（これらは第１ミラー機構に相当）が設けられ被写体像が撮影カメラ４に導かれる。下側に位置する第１ミラー１０は顔と向かい合う位置にあり、４５゜の傾斜した反射面を有する。上側に位置する第２ミラー１１も４５゜の傾斜した反射面を有し、第１ミラー１０により反射された光を撮影カメラ４の方向へ導く。
【００２１】
左右の側面画像を撮影するために、左右の側面位置Ｐ１，Ｐ２にも同様に、第１ミラー１２と第２ミラー１３（これらは第２ミラー機構に相当）が設けられ被写体像が撮影カメラ４に導かれる。図３に示すように、撮影カメラ４を各撮影位置へと回転させることで、正面画像と側面画像の撮影を行うことができる。従って、撮影カメラ４を回転駆動するための駆動機構は、第１ミラー機構により正面画像を撮影する第１姿勢と、第２ミラー機構により側面画像を撮影する第２姿勢とに、撮影手段の姿勢を切り換えるための姿勢切換手段として機能する。
【００２２】
撮影カメラ４を回転させる駆動機構としては、モータと減速機構を組み合わせたもの、モータとリンク機構を組み合わせたものなど適宜の構成を採用することができる。また、撮影カメラ４を各撮影位置に停止制御させるための位置センサーも設けられる。
【００２３】
顔を照明するための光源８（照明手段に相当）が筐体１内の複数個所に配置されている。光源８は、顔の位置を中心として円周方向に沿って顔に面するように配置されると共に、図２に示すように、上方及び下方にも複数個所に配置される。光源８には、可視光を照射する光源と紫外線を照射するブラックライトがあり、目的に応じて使い分けもしくは両方が使用される。可視光を照射する光源８は、ハロゲンランプ、蛍光灯、ＬＥＤなど適宜のものを使用することができる。光源８として、フラッシュ光源を使用してもよい。
【００２４】
光源８から照射される光を均一に拡散するための拡散板９が光源８と顔の間に配置される。拡散板９は、図１に示す横断面形状は円弧形状（半円形状）に形成されている。図２に示すように、拡散板９は、顔の正面だけでなく天井部と底面部にも配置されており、従って、この拡散板９により顔が包囲されるような形態となる。なお、拡散板９は、半円形でなくてもよく、多角形、楕円形状を呈していてもよい。正面位置Ｐ０と側面位置Ｐ１，Ｐ２において、ミラーによる撮影を可能にするため矩形の開口部９ａが各撮影位置に形成される。
【００２５】
かかる構成によれば、正面画像と側面画像の撮影をするために移動する部分は、撮影カメラ４とカメラ支持体５であるが、アームの先端部に撮影カメラ４を搭載して移動させる機構に比べると、機構を簡素化することができ、撮影カメラ４の移動のために要する空間も少なくてすむ。また、アームの先端部に撮影カメラ４を搭載する構成に比べて、先端部の振れなどの問題がなく精度よく停止制御させることができる。これにより、後日同じ人物の顔画像を撮影するに際して、再現性よく同じ顔画像の撮影を行うことができる。
【００２６】
＜制御関係＞
次に、顔撮影装置Ａの主要な制御機能について図４の制御ブロック図により説明する。コントローラ３０は、顔撮影装置Ａを統括的に制御する機能を提供するものであり、ＣＰＵ、メモリ、その他の必要なプログラム等により構成される。照明制御部３１は、光源８の点灯・消灯制御を行なう。光源８は、顔画像の撮影を行う時に点灯される。可視光と紫外線を使い分ける場合に、そのいずれを点灯させるのか、あるいは両方を点灯させるのかについての制御も行われる。
【００２７】
カメラ位置制御部３２は、撮影カメラ４を正面位置Ｐ０，側面位置Ｐ１，Ｐ２の各位置に停止させるための移動制御を行うものであり、駆動機構３５に対する動作指令を行なう。撮影カメラ４を所定の位置に停止させるために、カメラ位置センサー３３が設けられている。カメラ位置センサー３３としては、上記３つの撮影位置を検出するためのセンサーが設けられており、例えば、カメラ支持体５の回転位置を光センサーやマイクロスイッチなどにより検出するように構成できる。
【００２８】
また、上記３つの撮影位置だけではなく、それらの中間的な位置も検出することができるようにしている。例えば、駆動機構３５に連動して回転するエンコーダからの信号や、駆動機構３５の駆動モータ（パルスモータ）へ供給する駆動パルスのカウント値などに基づいて、細かいステップで撮影カメラ４の位置を検出することができる。従って、撮影カメラ４が移動可能な全範囲について位置検出を行なうことができる。あるいは、カメラ支持体５の位置を直接センサーにより検出してもよい。
【００２９】
基本的には、撮影カメラ４の位置制御は正面位置Ｐ０，側面位置Ｐ１，Ｐ２の３箇所で停止させるように行なわれるが、更に、同じ人物について前回の撮影時と同じ撮影条件となるように、撮影カメラ４の位置を各撮影位置において微調整する。
【００３０】
カメラ制御部３４は、撮影カメラ４の動作を制御するものであり、具体的にはシャッターを切ることで顔画像の撮影を行う。顔画像の撮影は、正面位置Ｐ０，側面位置Ｐ１，Ｐ２の３箇所において夫々行なわれる。
【００３１】
顔画像データ保存部３６は、撮影カメラ４により撮影された顔画像データが保存される。顔画像データは、デジタルのカラー画像データであり、ＪＰＥＧ等の適宜のファイル形式で保存される。顔画像データは、正面画像・左右側面画像ごとに保存され、人物を特定する人物ＩＤ（識別情報）・撮影年月日と共に保存される。
【００３２】
画像処理部３８は、顔画像データに基づいて、肌治療などの効果を確認するために必要なソフトウェアにより構成される。具体的には、前回撮影した顔画像と今回撮影した顔画像との比較を画像処理技術を用いて行い、例えば、顔の特定部位におけるシミやシワなどの大きさ形状の比較、面積の算出、変色の度合いの解析などを行なう機能を有する。これらの解析結果についてはデータ化されて記憶部に記憶される。
【００３３】
＜作動フローチャート＞
次に、顔画像の撮影を行う時の手順を図５のフローチャートにより説明する。まず、顔をあご載せ台２と額押さえ３により保持させる（Ｓ１）。次に、駆動機構３５により撮影カメラ４を撮影位置に設定する（Ｓ２）。最初の撮影位置は、正面位置Ｐ０になるように設定されている。
【００３４】
次に、顔位置の調整を行う（Ｓ３）。初めての撮影であれば、モニター画面内の所定の位置に顔の位置が来るように被験者に対して指示を与える。また、複数回目の撮影であれば、前回もしくは初回に撮影した顔画像をモニターに表示させ、同じ位置に顔が来るように被験者に対して指示を与える。なお、被験者に対して指示を与える代わりに、被験者が自分でモニター画面を見ながら顔の位置を調整できるようにしてもよい。
【００３５】
顔位置の調整が終了すると、カメラ制御部３４により撮影カメラ４を動作させて、顔画像の撮影を行う（Ｓ４）。最初の撮影位置は正面位置Ｐ０であり、正面画像は第１ミラー機構により撮影カメラ４に導かれる。撮影された顔画像データは、顔画像データ保存部３６に保存される（Ｓ５）。１つの撮影位置における撮影が終了したら、他の撮影位置へ移動する必要があるか否かを判断する（Ｓ６）。
【００３６】
必要があれば、ステップＳ２に戻り、同様の動作が繰り返される。左右の側面画像を撮影する場合には、撮影カメラ４を回転させて、側面位置Ｐ１，Ｐ２に順番に位置させる。各側面位置Ｐ１，Ｐ２においては、第２ミラー機構を介して側面画像の撮影が行われる。全ての顔画像の撮影が終了すると、動作は終了する。
【００３７】
＜第１実施形態の変形例＞
上記において、第１・第２ミラー機構は、いずれも拡散板９の背面側に配置されているが、手前側に配置されていてもよい。撮影カメラ４の配置は、図２に示す位置だけでなく、撮影カメラ４の姿勢変換の量がそれほど大きくならないのであれば、顔を保持する位置のすぐ上方ではなく上方手前側に変更可能である。例えば、図示の位置よりも、もう少しミラー機構の側へ近づいた配置としてもよい。撮影カメラ４の位置は、撮影倍率等をも考慮して適宜決めることができる。
【００３８】
図６は、更にもう１枚のミラー１１ａを付加した構成例を示している。この構成では、撮影カメラ４が垂直上方向を向いている。この構成では、撮影カメラ４とミラー１１ａを一体化したユニットＣとし、このユニットＣを垂直方向に設定された回転軸芯Ｂ周りに回転できるように構成している。姿勢変換を行う場合には、ユニットＣごと回転させるようにする。
【００３９】
図７は、更に別の変形例を示す図であり、被写体像を２つのミラー１０，１１で下方向に導き、顔よりも下方に設置された撮影カメラ４により撮影を行うものである。この場合は、撮影カメラ４の少し後方側に設定された回転軸芯Ｂ周りに撮影カメラ４を回転させるように構成する。この構成においても、撮影カメラ４の移動量はそれほど大きくなく、顔画像を撮影するための機構を簡素化することができる。図６についても同様の配置とすることができる。
【００４０】
＜顔撮影装置の構成（第２実施形態）＞
次に、第２実施形態に係る顔撮影装置の構成を図８、図９により説明する。図８は正面画像を撮影する状態を示しており、図８（ａ）は斜視図（ｂ）は平面図である。顔が保持される位置の上方に撮影カメラ４が配置され、撮影カメラ４は、動かないようにカメラ支持体５に保持される。
【００４１】
正面画像を撮影するための第１ミラー１１０と切換ミラー１１１が配置され、側面画像を撮影するための第１ミラー１１２と第２ミラー１１３が左右に配置される。第１ミラー１１０と切換ミラー１１１は第１ミラー機構に相当し、第１ミラー１１２と第２ミラー１１３は第２ミラー機構に相当する。
【００４２】
切換ミラー１１１は、ミラー駆動機構２３（姿勢切換手段に相当）により中心Ｄ周りに回転可能に構成され、正面画像を撮影する時は、図８に図示する第１姿勢により、第１ミラー１１０及び切換ミラー１１１を介して被写体像を撮影カメラ４へと導く。側面画像を撮影する時は、図９に示すように、切換ミラー１１１を回転させ、第２ミラー機構及び切換ミラー１１１を介して被写体像を撮影カメラ４へと導く。図９は、右側の側面画像を撮影する状態を示しているが、左側の側面画像を撮影する場合は、切換ミラー１１１を逆方向に回転駆動すればよい。
【００４３】
この構成によると、切換ミラー１１１の姿勢を切り換えるだけで、撮影画像の切換を行なうことができ、構成を簡素化することができる。また、切換ミラー１１１をその場所で回転駆動するだけの構成であるから、駆動機構そのものも大型化することがない。
【００４４】
＜顔撮影装置の構成（第３実施形態）＞
次に、第３実施形態に係る顔撮影装置の構成を図１０に示し、図１０（ａ）は斜視図（ｂ）は平面図を示す。この構成では、第１ミラー１０と第２ミラー１１からなるミラー機構と、撮影カメラ４が保持体２４に保持されて一体化されている。保持体２４は、保持体駆動機構２５（姿勢切換手段に相当）により、顔の位置に設定された垂直な回転軸芯Ｂ周りに回転可能に構成される。
【００４５】
保持体２４を回転駆動させることで、正面画像の撮影と側面画像の撮影の切換を行うことができる。この構成においても、撮影カメラ４は、人の顔が保持される位置の上方に位置しており、撮影カメラ４を大きく移動させる必要はなく、構成も簡素化することができる。
【００４６】
＜別実施形態＞
本発明に係る実施形態を種々説明してきたが、各実施形態において開示した構成を他の実施形態に適用することは任意である。例えば、第１実施形態の変形例として説明した構成を第２実施形態や第３実施形態に適用することもできる。
【００４７】
本実施形態では、撮影カメラ４はカメラ支持体５や保持体２４に固定されているが、カメラ支持体５に対して相対移動できるように撮影カメラ４を取り付けてもよい。これにより、撮影カメラ４の微調整を行うようにしてもよい。
【００４８】
各実施形態の構成を表わす図は、原理を説明するためであり、各部材の大きさ・形状などは厳密に表現するものではない。例えば、第１ミラー、第２ミラー等の大きさは、顔の全体を撮影できるような大きさにすることができる。
【図面の簡単な説明】
【００４９】
【図１】顔撮影装置の内部構成を示す横断面図
【図２】顔撮影装置の内部構成を示す縦断面図
【図３】撮影カメラが配置される位置における顔撮影装置の内部構成を示す横断面図
【図４】顔撮影装置の制御機能を示すブロック図
【図５】作動フローチャート
【図６】第１実施形態の変形例の構成を示す図
【図７】第１実施形態の別の変形例の構成を示す図
【図８】第２実施形態の顔撮影装置の構成を示す概念図
【図９】第２実施形態の顔撮影装置の動作を示す概念図
【図１０】第３実施形態の顔撮影装置の構成を示す概念図
【符号の説明】
【００５０】
２        あご載せ台
３        額押さえ
４        撮影カメラ
５        カメラ支持体
１０，１２，１１０，１１２      第１ミラー
１１，１３，１１１，１１３      第２ミラー
２０      制御装置
２４      保持体
２５      保持体駆動機構
３０      コントローラ
３５      駆動機構
３８      画像処理部
Ａ        顔撮影装置
Ｂ        回転軸芯
Ｐ０      正面位置
Ｐ１，Ｐ２      側面位置
【図１】
2008167930.tif 000003
【図２】
2008167930.tif 000004
【図３】
2008167930.tif 000005
【図４】
2008167930.tif 000006
【図５】
2008167930.tif 000007
【図６】
2008167930.tif 000008
【図７】
2008167930.tif 000009
【図８】
2008167930.tif 000010
【図９】
2008167930.tif 000011
【図１０】
2008167930.tif 000012